(57)【要約】      （修正有）【解決手段】トレー１は、底板部と、４つの側壁部と、底板部の一部からなり当該トレー１内に収納される容器Ｐを底板部から浮かせた状態に支持する２列の板状の第１の支持部３２，３３と、第１の支持部３２，３３と共に容器Ｐを支持する第２の支持部３４，３５と、第１の支持部３２，３３及び第２の支持部３４，３５に差し込まれ、トレー１内を複数に仕切る２つの仕切り板３６，３７とから構成されている。【効果】容器Ｐを収納する前のトレー１に何らかの衝撃が加えられたとしても、第１の支持部３２，３３がトレー１内で予期せぬ方向に動いたり、第１の支持部３２，３３及び仕切り板３６，３７がトレー１内から容易に飛び出してしまうことがない。よって、トレー１の取扱い性を向上させることができる。【選択図】図３
2005206159.tif 000002
【特許請求の範囲】
【請求項１】
底板部と４つの側壁部とからなる箱状に形成されると共に、複数の容器を前記底板部から浮かせた状態に収納するトレーであって、
当該トレーの中側にて、前記容器が載置されることで該容器を前記底板部から浮かせた状態にする２列の板状の支持部が、前記底板部の一部からなると共に、該一部を折り曲げることで立設されていること、
を特徴とするトレー。
【請求項２】
請求項１に記載のトレーにおいて、
前記支持部は、当該トレー内を複数に仕切る仕切り板に差し込まれることで立設状態を保持していること、
を特徴とするトレー。
【請求項３】
請求項１又は請求項２に記載のトレーにおいて、
前記４つの側壁部のうち、少なくとも２つの側壁部の上端の所定位置には、上方に突出した凸部が形成されており、
前記側壁部と前記底板部との境界部分には、当該トレーを当該トレーと同じ構成の他のトレーの上に積んだ際に、該他のトレーの前記凸部と嵌合する凹部が形成されていること、
を特徴とするトレー。
【請求項４】
請求項１ないし請求項３の何れか１項に記載のトレーにおいて、
前記４つの側壁部のうち、一対の側壁部の一部は、外側から当該トレーの中側に窪んでいると共に、当該トレーの中側に突出しており、
その突出した部分は、前記支持部と共に、前記容器を前記底板部から浮かせた状態にするための第２の支持部になっていること、
を特徴とするトレー。
【請求項５】
請求項１ないし請求項４の何れか１項に記載のトレーにおいて、
材質が段ボール紙であることを特徴とするトレー。
【発明の詳細な説明】
【技術分野】
【０００１】
本発明は、容器を収納するトレーに関するものである。
【背景技術】
【０００２】
従来より、底板部と４つの側壁部とからなる箱状に形成されると共に、板状の仕切り板により内部が複数に仕切られ、その仕切られた各部屋に容器を収納するトレーが知られている。
【０００３】
ところが、このトレーでは、収納された容器の底が当該トレーの底板部に接するようになっているため、内容物（例えば、イチゴ等の果物）を詰んだ状態の容器を収納した場合に、当該トレーを輸送している際に加わる振動により内容物を損傷させてしまう問題があった。
【０００４】
そこで、近年では、例えば図７に示すような、４つの容器を底板部１０１から浮かせた状態に収納するトレー１００が用いられるようになっている（例えば、非特許文献１参照）。
【０００５】
即ち、図７に示すように、トレー１００は、底板部１０１と４つの側壁部１０３ａ〜１０３ｄとからなる箱状の箱部１０５と、略長方形に形成され、その短手部分が半分となるように折り曲げられた第１の支持部１０７と、略長方形に形成され、第１の支持部１０７の長手方向の中央に形成された切り欠き部分１０７ａで該第１の支持部１０７と一体化する仕切り板１０９とから構成されている。更に、このトレー１００では、対向する一対の側壁部１０３ａ，１０３ｃに、その一部が当該トレー１００の中側に突出した第２の支持部１１１が形成されている。
【０００６】
そして、以上のような構成のトレー１００は、例えば、仕切り板１０９の中央部分１０９ａを第１の支持部１０７の開放側から切り欠き部分１０７ａに差し込み、これらを箱部１０５の開放側から第１の支持部１０７の開放側が上向きとなるように入れることで組み立てることができる。これにより、第１の支持部１０７及び仕切り板１０９が箱部１０５内を４つの部屋に仕切ることとなり、４つの容器を収納することが可能となる。尚、箱部１０５，第１の支持部１０７及び仕切り板１０９は、段ボール製のシート材から形成されている。
【０００７】
そして更に、トレー１００では、容器の外側の所定の部分が第１の支持部１０７及び第２の支持部１１１に載置されることで、容器を底板部１０１から浮かせた状態（所謂、宙吊り状態）に収納するようになっている。
【０００８】
このような構成のトレー１００によれば、容器が底板部１０１に接しないこととなるため、内容物を詰んだ状態の容器を収納したトレー１００を輸送している際の振動による内容物の損傷を軽減することができる。
【非特許文献１】ＪＡ包装資材ニュース，ＪＡ包装資材協会，平成１５年３月１５日，第４５９号，ｐ．６−８
【発明の開示】
【発明が解決しようとする課題】
【０００９】
ところで、上述したトレー１００では、箱部１０５とは別個に第１の支持部１０７が形成されており、その第１の支持部１０７に仕切り板１０９が差し込まれ、その一体化した第１の支持部１０７と仕切り板１０９とが箱部１０５内に入れられている。
【００１０】
このため、例えば、容器を収納する前のトレー１００に対して何らかの衝撃が加えられた場合、第１の支持部１０７及び仕切り板１０９が、箱部１０５内で動いてしまったり、箱部１０５内から飛び出してしまうことがあった。そして、この場合には、トレー１００を元の組立状態に戻す作業が必要であり、その作業は使用者にとって煩わしいものであった。
【００１１】
本発明は、上記問題を解決するためになされたものであり、取扱い性に優れたトレーを提供することを目的としている。
【課題を解決するための手段】
【００１２】
上記目的を達成するためになされた請求項１に記載のトレーは、底板部と４つの側壁部とからなる箱状に形成されると共に、複数の容器を底板部から浮かせた状態に収納するものである。
【００１３】
そして特に、請求項１のトレーでは、当該トレーの中側にて、容器が載置されることで該容器を底板部から浮かせた状態にする２列の板状の支持部（以下、第１の支持部という）が、底板部の一部からなると共に、該一部を折り曲げることで立設されている。
【００１４】
このような請求項１のトレーによれば、第１の支持部が底板部と一体になっているため、容器を収納する前のトレーに対して何らかの衝撃が加えられたとしても、第１の支持部が当該トレー内で予期せぬ方向に動いたり、当該トレー内から容易に飛び出してしまうことがない。よって、上述した煩わしさを解消することができ、トレーの取扱い性を向上させることができる。
【００１５】
また、請求項１のトレーは、請求項２に記載の如く、第１の支持部は当該トレー内を複数に仕切る仕切り板に差し込まれることで立設状態が保持されるようになっていれば、容器を収納する前のトレーに対して何らかの衝撃が加えられた際に、仕切り板が当該トレー内から飛び出してしまうこともない。よって、更に取扱い性を向上させることができる。
【００１６】
次に、請求項３に記載のトレーは、請求項１又は請求項２のトレーにおいて、４つの側壁部のうち、少なくとも２つの側壁部の上端の所定位置には、上方に突出した凸部が形成されている。
【００１７】
そして更に、側壁部と底板部との境界部分には、当該トレーを当該トレーと同じ構成の他のトレーの上に積んだ際に、該他のトレーの凸部と嵌合する凹部が形成されている。
このような請求項３のトレーでは、当該トレーの凹部を上記他のトレーの凸部に嵌合させることで他のトレーの上に積み上げることができ、この嵌合により積み上げ状態が保持されることとなる。
【００１８】
このため、トレーを他のトレーの上に積んだ際に、当該トレーは他のトレー上で固定されることとなるので、安定した積み上げ状態を保持することができる。
次に、請求項４に記載のトレーは、請求項１〜請求項３のトレーにおいて、４つの側壁部のうち、一対の側壁部の一部は、外側から当該トレーの中側に窪んでいると共に、当該トレーの中側に突出している。
【００１９】
そして、その突出した部分は、第１の支持部と共に、容器を底板部から浮かせた状態にするための第２の支持部になっている。
このような請求項４のトレーによれば、上記窪んでいる部分に手を掛けて当該トレーを運ぶことができる。
【００２０】
ところで、請求項１〜請求項４のトレーにおいて、請求項５に記載の如く、材質が段ボール紙であれば、重量を軽くすることができると共に、充分な強度を確保することができる。また、トレー自体を安価に製造しやすいという利点もある。
【発明を実施するための最良の形態】
【００２１】
以下に、本発明が適用された実施形態のトレーについて、図面を用いて説明する。尚、本実施形態のトレーは、容器内に入れられた野菜や果物（例えば、イチゴ）等を搬送及び陳列する際に使用され、該容器を当該トレーの底から浮かせた状態に収納するものである。
【００２２】
まず図１は、第１実施形態のトレー１の展開状態における平面図であり、図２は、トレー１を組み立てる手順を説明する説明図であり、図３は、同トレー１の組立状態における斜視図である。
【００２３】
トレー１は、１枚の段ボール製のシート材からなり、予め図１に示すような形状に裁断されている。尚、図１にて破線で示す箇所は、折り曲げやすいように折目やミシン目が設けられている。また、以下の説明において、上下左右縦横等、方向に関する表現は、図１における方向である。
【００２４】
図１に示すように、裁断されたトレー１は、互いに平行な辺Ｌ１，Ｌ３及びその辺Ｌ１，Ｌ３に垂直で且つそれらよりも長い一対の辺Ｌ２，Ｌ４からなる長方形に形成された底板部１１と、底板部１１の各辺Ｌ１〜Ｌ４に連接され、トレー１の側壁を形成する主壁１２〜１５と、主壁１２〜１５を補強する補強壁１６〜１９と、主壁１２〜１５と補強壁１６〜１９との間に繋がっている接続片２０〜２３と、一対の主壁１３，１５及び補強壁１７，１９の主壁１２側の辺Ｌ５〜Ｌ８に連接され、主壁１２を補強する連結片２４〜２７と、主壁１３，１５及び補強壁１７，１９の主壁１４側の辺Ｌ９〜Ｌ１２に連接され、主壁１４を補強する連結片２８〜３１と、底板部１１の一部からなり、該底板部１１に形成された折線Ｌ１３，Ｌ１４に沿って折り曲げることで立設する２列の第１の支持部３２，３３（支持部に相当）と、主壁１２の一部と底板部１１の一部及び主壁１４の一部と底板部１１の一部からなり、主壁１２，１４を辺Ｌ１，Ｌ３に沿って折り曲げると共に、辺Ｌ１，Ｌ３に平行な折線Ｌ１５〜Ｌ２０に沿って折り曲げることで立設する第２の支持部３４，３５と、組み立てられたトレー１の内部を仕切る仕切り板３６，３７とから構成されている。尚、トレー１は、辺Ｌ１，Ｌ３の垂直二等分線で対称になっている。
【００２５】
そして、第１の支持部３２，３３は、底板部１１の辺Ｌ１，Ｌ３に平行な２本の折線Ｌ１３，Ｌ１４のうちの一本を所有している。
詳しく説明すると、折線Ｌ１３を所有した方の第１の支持部３２は、折線Ｌ１３と、折線Ｌ１３よりも辺Ｌ１側に形成され折線Ｌ１３に平行な辺Ｌ２１と、折線Ｌ１３の両端から辺Ｌ２１側へ垂直に延びる辺Ｌ２２，Ｌ２３とを備えた板状に形成されている。更に、第１の支持部３２の辺Ｌ２１の中央部分には、当該第１の支持部３２の内部に凹んだ嵌合部３８が設けられている。
【００２６】
また、第１の支持部３２の折線Ｌ１３以外の周囲には、切り込みが入れられている。このため、第１の支持部３２を折線Ｌ１３に沿って折り曲げることが可能となり、第１の支持部３２を立設させることができるようになっている。
【００２７】
また、第１の支持部３２，３３は、辺Ｌ２，Ｌ４の垂直二等分線で対称になっている。
そして、折線Ｌ１４を所有した方の第１の支持部３３にも、折線Ｌ１５側の第１の支持部３２の嵌合部３８と同様の嵌合部３９が設けられている。
【００２８】
尚、底板部１１、主壁１３，１５、接続片２１，２３及び補強壁１７，１９も辺Ｌ２，Ｌ４の垂直二等分線で対称になっている。また、主壁１２、接続片２０、補強壁１６、連結片２４〜２７及び第２の支持部３４と、主壁１４、接続片２２、補強壁１８、連結片２８〜３１及び第２の支持部３５とも辺Ｌ２，Ｌ４の垂直二等分線で対称になっている。
【００２９】
次に、第２の支持部３４は、主壁１２の一部及び底板部１１の一部からなっており、他方の第２の支持部３５は、主壁１４及び底板部１１の一部からなっている。
そして、主壁１２側の第２の支持部３４は、主壁１２に形成された折線Ｌ１５と、底板部１１に形成された折線Ｌ１７と、その両端同士を結ぶ平行な切り込み線とからなる長方形に形成されている。更に、折線Ｌ１５と折線Ｌ１７との間には、折線Ｌ１６が形成されており、その折線Ｌ１６は主壁１２に形成されている。
【００３０】
また、第２の支持部３４の折線Ｌ１５の中央部分には、当該第２の支持部３４の内部に凹んだ嵌合部６８が設けられている。
一方、主壁１４側の第２の支持部３５も、主壁１４に形成された折線Ｌ１８と、底板部１１に形成された折線Ｌ２０と、その両端同士を結ぶ平行な切り込み線とからなる長方形に形成されている。更に、折線Ｌ１８と折線Ｌ２０との間には、折線Ｌ１９が形成されており、その折線Ｌ１９は主壁１４に形成されている。そして更に、第２の支持部３５の折線Ｌ１８の中央部分にも、主壁１２側の第２の支持部３４の嵌合部６８と同様の嵌合部６９が設けられている。
【００３１】
次に、辺Ｌ１に連接されている主壁１２は、辺Ｌ１と、その辺Ｌ１に平行で且つ同じ長さの辺Ｌ２４と、それら２つの辺Ｌ１，Ｌ２４に垂直で且つそれらよりも短い一対の辺とからなる長方形に形成されている。
【００３２】
また、主壁１２の辺Ｌ２４には、その辺Ｌ２４を下底とした略台形状の接続片２０が連接されている。そして更に、接続片２０の上底となる辺Ｌ２５には、その辺Ｌ２５に連接された長方形の部分１６ａ及びその部分１６ａにて辺Ｌ２５の長手方向の両端が接続片２０側とは反対側に延びる帯状の部分１６ｂ，１６ｃからなる補強壁１６が形成されている。
【００３３】
そして、帯状の部分１６ｂの接続片２０側とは反対側の端には、他方の帯状の部分１６ｃ側とは反対側に突出した突出部４０が設けられている。一方、帯状の部分１６ｃの接続片２０側とは反対側の端にも、突出部４０と同様の突出部４１が設けられている。
【００３４】
また更に、帯状の部分１６ｂ，１６ｃには、辺Ｌ２５に垂直な折線Ｌ２６，Ｌ２７が形成されており、当該帯状の部分１６ｂ，１６ｃの内側（即ち、帯状の部分１６ｂ，１６ｃにて辺Ｌ２５の垂直二等分線側）の一部分４２，４３を折り曲げることができるようになっている。
【００３５】
尚、折線Ｌ２６と折線Ｌ２７と間の長さは、第２の支持部３４，３５の折線Ｌ１７の長さと同じである。また、補強壁１６と辺Ｌ２の垂直二等分線で対称な補強壁１８にも、補強壁１６の突出部４０，４１及び一部分４２，４３と同様の突出部４４，４５及び一部分４６，４７が設けられている。
【００３６】
次に、辺Ｌ２に連接される主壁１３は、辺Ｌ２と、その辺Ｌ２に平行で且つ同じ長さの辺Ｌ２８と、それら２つの辺Ｌ２，Ｌ２８に垂直で且つそれらよりも短い一対の辺Ｌ５，Ｌ９とからなる長方形に形成されている。
【００３７】
そして、主壁１３と底板部１１との境界部分（即ち、辺Ｌ２上）には、２つの孔（請求項２の凹部に相当）４８，４９が形成されている。そして、主壁１３の辺Ｌ２８には、当該トレー１と同じ構成の他のトレーを、組立状態における当該トレー１の上に積んだ際に他のトレーの孔４８，４９と嵌合する凸部５０，５１が形成されている。更に、主壁１３には、２つの略楕円形の孔５２，５３が設けられている。尚、凸部５０，５１は、接続片２１の一部及び補強壁１７の一部を共有している。
【００３８】
そして、主壁１３の辺Ｌ２８には、長方形の接続片２１が連接されている。
更に、主壁１３の辺Ｌ５には、その辺Ｌ５に連接された長方形の部分２４ａ及びその部分２４ａの主壁１２側とは反対側の部分が辺Ｌ５側とは反対側に延びた帯状の部分２４ｂからなる連結片２４が形成されている。
【００３９】
一方、接続片２１の辺Ｌ２８側とは反対側の辺Ｌ２９には、互いに平行な辺Ｌ２９，Ｌ３０と、その辺Ｌ２９，Ｌ３０に垂直で且つそれらよりも短い一対の辺Ｌ７，Ｌ１１とからなる長方形に形成された補強壁１７が連接されている。
【００４０】
そして、補強壁１７の接続片２１側とは反対側の両角には、長方形に切り欠いた切欠き部５４，５５が設けられており、トレー１の組立状態にて補強壁１６，１８の突出部４１，４５が嵌合するようになっている。また、補強壁１７には、主壁１３の孔５２，５３よりも大きい略楕円形の孔５６，５７が設けられている。
【００４１】
更に、補強壁１７の辺Ｌ７には、その辺Ｌ７に連接された長方形の部分２６ａ及びその部分２６ａの主壁１２側の部分が辺Ｌ７側とは反対側に延びた帯状の部分２６ｂからなる連結片２６が形成されている。
【００４２】
尚、主壁１５及び補強壁１９にも、主壁１３の孔４８，４９、補強壁１７の孔５２，５３，５６，５７、凸部５０，５１及び切欠き部５４，５５と同様の孔５８，５９，６２，６３，６６，６７、凸部６０，６１及び切欠き部６４，６５が設けられている。
【００４３】
次に、仕切り板３６は、第１の支持部３２の嵌合部３８に嵌合する差込部７０と、第２の支持部３４の嵌合部６８に嵌合する差込部７１とを備えている。また、仕切り板３７は、第１の支持部３３の嵌合部３９に嵌合する差込部７２と、第２の支持部３５の嵌合部６９に嵌合する差込部７３とを備えている。
【００４４】
次に、展開状態にあるトレー１を図３の如き組立状態に組み立てる手順について説明する。
まず、展開状態にあるトレー１の主壁１３を辺Ｌ２に沿って底板部１１に対して垂直となるように折り曲げる。次いで、接続片２１を辺Ｌ２８に沿って、主壁１３に対して垂直となるようにトレー１の内側（即ち、底板部１１側）に折り曲げる。そして、補強壁１７を、補強壁１７の辺Ｌ３０が底板部１１に当接するように、辺Ｌ２９に沿ってトレー１の内側（即ち、底板部１１側）に折り曲げる。そして更に、連結片２４，２６，２８，３０を辺Ｌ５，Ｌ７，Ｌ９，Ｌ１１に沿ってトレー１の内側に折り曲げる。
【００４５】
次に、主壁１５、接続片２３、補強壁１９及び連結片２５，２７，２９，３１も主壁１３、接続片２１、補強壁１７及び連結片２４，２６，２８，３０と同様に折り曲げる。すると、一対の側壁が形成されることとなる。
【００４６】
続いて、主壁１４を辺Ｌ３に沿って底板部１１に対して垂直となるように折り曲げると共に、第２の支持部３５を折線Ｌ１８〜Ｌ２０に沿って当該第２の支持部３５がトレー１の内側に突出するように折り曲げる。詳しくは、主壁１４を辺Ｌ３に沿って底板部１１に対して垂直となるように折り曲げる際に、第２の支持部３５を、折線Ｌ２０に沿って第１の支持部側に折り曲げると共に、折線Ｌ１８に沿って補強壁１８側に折り曲げると、第２の支持部３５が折線Ｌ１９に沿って山状に折り曲げられることとなり、当該第２の支持部３５がトレー１の内側に突出するようになる。
【００４７】
すると、第２の支持部３５が突出した分だけ主壁１４の一部（即ち、主壁１４にて第２の支持部３５が形成されている部分）が図２の如く底板部１１側に窪んだ状態となる。
続いて、連結片２８，２９を主壁１４に当接させると共に、連結片３０，３１を連結片２８，２９に当接させ、補強壁１８の一部分４６，４７をトレー１の外側に折り曲げる。そして、補強壁１８の突出部４４，４５が補強壁１７，１９の切欠き部５５，６５と嵌合するように接続片２２及び補強壁１８をトレー１の内側に折り曲げる。
【００４８】
すると、補強壁１８の一部分４６，４７が第２の支持部３５を挟むこととなり、該第２の支持部３５が容易に折れ曲がってしまうことが防止されることとなる。
次に、第１の支持部３３を折線Ｌ１４に沿って主壁１２側に折り曲げる。そして、第１の支持部３３の嵌合部３９及び第２の支持部３５の嵌合部６９に仕切り板３７の差込部７２，７３を差し込むと、第１の支持部３３は立設状態が保持されることとなる。
【００４９】
そして、主壁１２及び第２の支持部３４も主壁１４及び第２の支持部３５と同様に折り曲げる。更に、連結片２４，２５を主壁１２に当接させると共に、連結片２６，２７を連結片２４，２５に当接させ、補強壁１６の一部分４２，４３をトレー１の外側に折り曲げると、図２に示すような状態になる。
【００５０】
更に、図２に示す状態から補強壁１６の突出部４０，４１が補強壁１７，１９の切欠き部５４，６４と嵌合するように接続片２０及び補強壁１６をトレー１の内側に折り曲げることで４つの側壁が形成されることとなる。
【００５１】
次に、第１の支持部３２を折線Ｌ１３に沿って主壁１４側に折り曲げる。
そして、第１の支持部３２の嵌合部３８及び第２の支持部３４の嵌合部６８に仕切り板３６の差込部７０，７１を差し込むと、第１の支持部３２は立設状態が保持されることとなり、図３に示すように、容器Ｐを底板部１１から浮かせた状態に収納するトレー１が完成する。
【００５２】
尚、容器Ｐはプラスチックからなり、図４に示すように、底板部２０１と４つの側壁部２０２〜２０５とからなる箱状に形成されている。また、容器Ｐの内部は、底板部２０１側から開放側へ向かって徐々に広くなっている。更に、側壁部２０２〜２０５の上端２０６〜２０９は、当該容器Ｐの外側に突出している。
【００５３】
そして、本トレー１では、容器Ｐの上端２０６，２０８が第１の支持部３２，３３及び第２の支持部３４，３５に引っ掛かる、若しくは、容器Ｐの側壁部２０５，２０８が第１の支持部３２，３３及び第２の支持部３４，３５に引っ掛かることで、容器Ｐが第１の支持部３２，３３及び第２の支持部３４，３５に載置されることとなり、容器Ｐを底板部１１から浮かせた状態に収納するようになっている。
【００５４】
また、本トレー１では、容器Ｐが底板部１１から浮いた状態で収納されるように第１の支持部３２，３３及び第２の支持部３４，３５の高さと、第１の支持部３２，３３から第２の支持部３４，３５までの長さとが予め設定されて裁断している。
【００５５】
尚、図３においてはトレー１に容器Ｐが１つしか収納されていないが、本トレー１は、４つの容器Ｐを収納することができるようになっている。
以上のようなトレー１によれば、底板部１１の一部からなる第１の支持部３２，３３及び第２の支持部３４，３５に仕切り板３６，３７が差し込まれているため、容器Ｐを収納する前のトレー１に対して何らかの衝撃が加えられたとしても、第１の支持部３２，３３がトレー１内で予期せぬ方向に動いたり、第１の支持部３２，３３及び仕切り板３６，３７がトレー１内から容易に飛び出してしまうことがない。よって、上述した煩わしさを解消することができ、トレー１の取扱い性を向上させることができる。
【００５６】
また、第１の支持部３２，３３は、底板部１１の一部からなっているため、当該トレー１と同じ大きさに構成した従来のトレー１００よりも、使用する段ボールの面積を小さくすることができる。
【００５７】
また更に、トレー１の孔４８，４９，５８，５９を本トレー１と同じ構成の他のトレーの凸部５０，５１，６０，６１に嵌合させることで他のトレーの上に積み上げることができ、この嵌合により積み上げ状態が保持されることとなる。
【００５８】
このため、トレー１を上記他のトレーの上に積んだ際に、当該トレー１は他のトレー上で固定されることとなるので、安定した積み上げ状態を保持することができる。
また、トレー１では、主壁１２，１４の第２の支持部３４，３５が形成されている部分が、図２に示すように、外側からトレー１の内側に窪んでいるため、その部分に手をかけて本トレー１を運ぶことができる。よって、利便性を向上させることができる。
【００５９】
また更に、トレー１は材質が段ボール紙であるため、重量を軽くすることができると共に、充分な強度を確保することができる。また、トレー１自体を安価に製造しやすいという点でも有利である。
【００６０】
また、略楕円形の孔５２，５３，５６，５７，６２，６３，６６，６７は、通気孔の役割を果たす。例えば、トレー１内に収納される容器Ｐ内に野菜や果物が詰められた際に、その鮮度を長時間保つことができる。
【００６１】
尚、本第１実施形態では、主壁１２〜１５，補強壁１６〜１９，接続片２０〜２３及び連結片２４〜３１が、４つの側壁部に相当している。
次に、第２実施形態のトレーについて、図５及び図６を用い説明する。尚、図５は、第２実施形態のトレー２の展開状態における平面図であり、図６は、同トレー２の組立状態における斜視図である。また、図５及び図６において、前述した図１と同じ構成要素については、図１と同じ符号を付しているため、詳細な説明は省略する。
【００６２】
本第２実施形態のトレー２は、第１実施形態のトレー１と比較すると、下記の（１）及び（２）の点が主に異なっている。
（１）図５に示すように、第１実施形態の第１の支持部３２，３３に代わって、底板部１１の一部からなり、折線をＬ１３，Ｌ１４を下底とした台形状の第１の支持部３０２，３０３が設けられている。
【００６３】
（２）また、第１実施形態の第２の支持部３４，３５に代わって、底板部１１の一部からなり、折線Ｌ１３，Ｌ１４に平行な折線Ｌ１０１，Ｌ１０２を下底とした台形状の第２の支持部３０４，３０５が設けられている。そして、折線Ｌ１０１は第１の支持部３０２よりも主壁１２側に形成されており、第２の支持部３０４の上底となる辺Ｌ１０３は、折線Ｌ１０１と第１の支持部３０２との間に形成されている。更に、第２の支持部３０４の辺Ｌ１０３の中央部分には、当該第２の支持部３０４の内部に凹んだ嵌合部３０６が設けられている。そして、第２の支持部３０４の折線Ｌ１０１以外の周囲には、切り込み線が入れられている。このため、第２の支持部３０４を折線Ｌ１０１に沿って折り曲げることが可能となり、第２の支持部３０４を立設させることができるようになっている。
【００６４】
また、第２の支持部３０４，３０５も、辺Ｌ２，Ｌ４の垂直二等分線で対称になっているため、折線Ｌ１０２を所有した方の第２の支持部３０５にも、折線Ｌ１０１側の第２の支持部３０４の嵌合部３０６と同様の嵌合部３０７が設けられている。
【００６５】
このようなトレー２では、例えば、側壁部を形成してから第１の支持部３０２，３０３及び第２の支持部３０４，３０５を立設させてそれに仕切り板３６，３７を差し込むことで、図６に示すような組立状態となる。
【００６６】
以上のようなトレー２によっても、容器Ｐを収納する前のトレー２に対して何らかの衝撃が加えられたとしても、第１の支持部３０２，３０３がトレー１内で予期せぬ方向に動いたり、第１の支持部３０２，３０３及び仕切り板３６，３７がトレー２内から容易に飛び出してしまうことがないこととなるため、上述した煩わしさを解消することができ、トレー２の取扱い性を向上させることができる。
【００６７】
また、第１実施形態のトレー１の第２の支持部３４，３５が底板部１１の一部及び主壁１２，１４の一部からなっているのに対して、本トレー２の第２の支持部３０４，３０５は、底板部１１の一部からなっているため、第１実施形態のトレー１よりも本トレー２の方が簡単に組み立てることができる。但し、第１実施形態のトレー１のように主壁１２，１４がトレーの中側に窪むように構成した方が、トレーの利便性という面では有利である。
【００６８】
以上、本発明の一実施形態について説明したが、本発明は、種々の形態を採り得ることは言うまでもない。
本実施形態では、仕切り板３６，３７を２つ用いていたが、１つから構成しても良い。この場合、トレー１，２を組み立てる工程を減らすことができる。
【００６９】
また、トレーの材質は、段ボール紙に限らず、組立性が向上するならば、例えば可撓性のあるプラスチックや厚紙などを用いても良い。
また、容器Ｐの材質は、プラスチックに限らず、底板部１１から浮かせた状態に収納されることが可能であれば、例えば紙や鉄などを用いても良い。更に、容器Ｐの形状においても、底板部１１から浮かせた状態に収納されることが可能であれば、どのような形状をしていても良い。
【図面の簡単な説明】
【００７０】
【図１】第１実施形態のトレーの展開状態における平面図である。
【図２】同トレーの組立手順を説明する説明図である。
【図３】同トレーの組立状態における斜視図である。
【図４】同トレーに収納される容器の斜視図である。
【図５】第２実施形態のトレーの展開状態における平面図である。
【図６】同トレーの組立状態における斜視図である。
【図７】従来のトレーを説明する説明図である。
【符号の説明】
【００７１】
１，２…トレー、１１…底板部、１２〜１５…主壁、１６〜１９…補強壁、２０〜２３…接続片、２４〜３１…連結片、３２，３３，３０２，３０３…第１の支持部、３４，３５，３０４，３０５…第２の支持部、３６，３７…仕切り板、４８，４９，５８，５９…孔、５０，５１，６０，６１…凸部
【図１】
2005206159.tif 000003
【図２】
2005206159.tif 000004
【図３】
2005206159.tif 000005
【図４】
2005206159.tif 000006
【図５】
2005206159.tif 000007
【図６】
2005206159.tif 000008
【図７】
2005206159.tif 000009